(57)【要約】【課題】大型インクジェット印刷機を提供する。【解決手段】  大型インクジェット印刷機は、機械本体と少なくとも一つの制御装置を具え、機械本体に作業台を具え、その上にワークに圧力を加える紙押さえバーと、ワークを揃える紙揃えバーを設け、作業台の底面には吸気装置を連結し、ワークがしっかり作業台に吸着されるようにする。制御装置を機械本体上に設置し、紙押さえバー、紙揃えバー、吸気装置に接続し、使用者が直接機械本体上で制御装置を操作し、紙押さえバー、紙揃えバー、吸気装置のスイッチ開閉を同時に制御できるようにする。【選択図】  図１
0003126058.tif 000002
【実用新案登録請求の範囲】
【請求項１】
大型インクジェット印刷機は、
機械本体を具え、作業台を具え、該本体は作業台の前後両端に少なくとも一つのワークを押さえる紙押さえバーを設け、作業台の中央近くにワークを揃える紙揃えバーを設け、作業台の底面に連結して吸気装置を設けて、ワークが作業台上にしっかり吸着するようにし、及び、
少なくとも一つの制御装置を具え、これを機械本体上に配置し、該制御装置は上述の紙押さえバー、紙揃えバー及び吸気装置に接続し、使用者が使用前または使用後にワークの配置と取り出しを行うときに、直接機械本体上で該制御装置を操作して、紙押さえバー、紙揃えバー及び吸気装置のスイッチ開閉を同時に制御できるようにして成ることを特徴とする大型インクジェット印刷機。
【請求項２】
該制御装置は手動スイッチであるようにして成ることを特徴とする請求項１記載の大型インクジェット印刷機。
【請求項３】
該制御装置は足踏みスイッチであるようにして成ることを特徴とする請求項２記載の大型インクジェット印刷機。
【請求項４】
該機械本体は作業台の前後両端にすべて前述の紙押さえバーを設けて成ることを特徴とする請求項１記載の大型インクジェット印刷機。
【請求項５】
該制御装置は二組あり、それぞれ機械本体の前後両端に設置するようにして成ることを特徴とする請求項１記載の大型インクジェット印刷機。
【考案の詳細な説明】
【技術分野】
【０００１】
本考案大型インクジェット印刷機に関し、特に機械本体上に制御装置を具えて、直接且つ即座に印刷機の紙押さえバー、紙揃えバー、吸気装置を制御できる大型インクジェット印刷機であって、使用者が印刷機とコンピュータとの間を往復する動作を軽減し、作業時間短縮、効率向上を達成する大型インクジェット印刷機に関する。
【背景技術】
【０００２】
市場で見られる大型インクジェット印刷機には、紙案内機構が設けられ、紙案内機構は紙押さえバー、紙揃えバー及び吸気装置を具える。印刷機には更にガイドローラを設けてワークを前進方向へ移動させる。紙押さえバーは弾力的圧力を提供し、ワークがローラに移動させられたときもある程度の圧力を受けるようにする。紙揃えバーは使用者に位置決め基準を提供して、ワークの位置がずれるのを防止する。吸気装置は真空吸引力を提供してワークを吸着する。  以上によってワークへの印刷を円滑に行う。
【０００３】
公知の大型インクジェット印刷機の設計では、使用者がワークを交換したい場合には、印刷機からコンピュータの前へ移動していき、キーボードまたはマウスでコマンドを操作指令を入力して吸気装置を停止させ、紙押さえバー上昇と紙揃えバー下降といった動作を完了してから、ようやくワークを配置したり取り出したりすることができる。上述の動作が完了後、使用者は再びコンピュータの前へ戻り吸気装置を始動させて、紙押さえバーを下降、紙揃えバーを上昇させてから、印刷作業を再開する。使用者が印刷機とコンピュータの間を往復する動作は、使用者に余計な作業時間を浪費させ、同時に作業効率も低下している。
【考案の開示】
【考案が解決しようとする課題】
【０００４】
本考案は大型インクジェット印刷機を提供し、機械本体に制御装置を設け、使用者が即座に紙押さえバー、紙揃えバー、吸気装置のスイッチ開閉を制御できるようにし、使用者がコンピュータと印刷機の間を往復する動作を減少させ、不必要な作業時間の浪費を防止する。
【課題を解決するための手段】
【０００５】
本考案が設ける大型インクジェット印刷機は、機械本体と少なくとも一つの制御装置を具え、機械本体に作業台を具え、その上にワークに圧力を加える紙押さえバーと、ワークを揃える紙揃えバーを設け、作業台の底面には吸気装置を連結し、ワークがしっかり作業台に吸着されるようにする。制御装置を機械本体上に設置し、紙押さえバー、紙揃えバー、吸気装置に接続し、使用者が直接機械本体上で制御装置を操作し、紙押さえバー、紙揃えバー、吸気装置のスイッチ開閉を同時に制御できるようにする。
【考案の効果】
【０００６】
本考案が提供する大型インクジェット印刷機は、制御装置を設けることにより、使用者が即座に紙押さえバー、紙揃えバー、吸気装置のスイッチ開閉を制御できるようになり、使用者がコンピュータと印刷機の間を往復する動作が減少し、不必要な作業時間の浪費を防止できる。
【考案を実施するための最良の形態】
【０００７】
図１、図２に示すように、本考案の大型インクジェット印刷機の実施例を前後から見た図では、大型インクジェット印刷機１は機械本体１０と制御装置１１から成る。
機械本体１０は作業台１０１を具え、作業台１０１の前後両端にワークに圧力を加える紙押さえバー１０２を少なくとも一つ具え、作業台１０１の中央付近にはワークを揃えるための紙揃えバー１０３を設け、作業台１０１の底面に吸気装置１０４を接続して、ワーク２が作業台１０１にしっかり吸着するようにする。
【０００８】
制御装置１１は機械本体１０上に設置し、本考案の好適な実施例では制御装置１１は二組あり、それぞれ機械本体１０の前後両端に配置し、且つ制御装置１１は手動スイッチまたは足踏みスイッチとすることができ、好適な実施例では足踏みスイッチを例としている（図１に示す）。制御装置１１は上述の紙押さえバー１０２、紙揃えバー１０３及び吸気装置１０４と接続して、紙押さえバー１０２、紙揃えバー１０３、吸気装置１０４のスイッチ開閉を制御できるようにする。
【０００９】
実施時には、図１、図２に示すように、印刷作業に入る前に、制御装置１１を踏み（足踏みスイッチ）、吸気装置１０４を停止させ、紙揃えバー１０３を下降させ、前後の紙押さえバー１０２を上昇させてから、ワーク２を配置し、紙揃えバー１０３に当接させ、その後制御装置１１（足踏みスイッチ）を踏み、吸気装置１０４を始動させ、紙押さえバー１０２を降下させ、紙揃えバー１０３を上昇させる。印刷作業が終了したら、制御装置１１（足踏みスイッチ）を踏んで、吸気装置１０４を停止させ、紙揃えバー１０３を下降させ、前後の紙押さえバー１０２を上昇させて、ワーク２を取り出しまたは交換する。
【００１０】
本考案の制御装置の設計により、使用前と使用後にワーク２の配置と取り出しを行うときに、機械本体上で制御装置を直接操作して、紙押さえバー、紙揃えバー、吸気装置のスイッチを制御でき、コンピュータと大型インクジェット印刷機との間を往復する動作を減少させ、不必要な作業時間の浪費を防止して、作業効率を向上させることができる。
【図面の簡単な説明】
【００１１】
【図１】本考案の大型インクジェット印刷機を前から見た図である。
【図２】本考案の大型インクジェット印刷機を後ろから見た図である。
【符号の説明】
【００１２】
１ 大型インクジェット印刷機
１０ 機械本体
１０１ 作業台
１０２ 紙押さえバー
１０３ 紙揃えバー
１０４ 吸気装置
１１ 制御装置
２ ワーク
【図１】
0003126058.tif 000003
【図２】
0003126058.tif 000004